(57)【特許請求の範囲】
【請求項１】
注文を入力する複数の電子機器とコントローラとを備えるオーダーエントリーシステムであって、
前記電子機器は、
表示部と、
前記コントローラと通信する通信部と、
自装置を駆動するバッテリを充電しているときに、前記通信部を介して、前記バッテリの充電状態を前記コントローラに通知する充電状態通知部と、
前記通信部を介して前記コントローラから使用を促す表示を指示する指示情報を受信した場合に、前記表示部に使用を促す表示をする表示制御部と、
を備え、
前記コントローラは、
前記電子機器と通信する通信部と、
前記通信部が前記電子機器から受信した充電状態が新規接続による充電開始の情報の場合、前記充電状態、または前記コントローラが保持する前記電子機器の充電回数、あるいは前記コントローラが保持する前記電子機器の満充電時刻に基づいて、充電している前記電子機器のうち使用に最も適した前記電子機器を判定し、判定した前記電子機器に前記通信部から前記指示情報を送信する機器状態確認処理部と、
を備えることを特徴とするオーダーエントリーシステム。
【請求項２】
前記機器状態確認処理部は、最も早く充電が完了した前記電子機器を、使用に最も適した前記電子機器と判定する
ことを特徴とする請求項１に記載のオーダーエントリーシステム。
【請求項３】
前記コントローラの前記機器状態確認処理部は、新たに充電が開始された前記電子機器に設定されている引き継ぎ情報がある場合には、使用に最も適した前記電子機器に前記引き継ぎ情報を送信し、
前記電子機器は、前記通信部を介して前記コントローラから前記引き継ぎ情報を受信した場合には、当該引き継ぎ情報を自装置に設定する設定部を備える
ことを特徴とする請求項１または２に記載のオーダーエントリーシステム。
【請求項４】
前記電子機器は、前記引き継ぎ情報を設定するか否かの入力を受け付ける入力部を備え、
前記電子機器の前記設定部は、前記入力部が前記引き継ぎ情報を設定する入力を受け付けた場合にのみ、前記引き継ぎ情報を自装置に設定する
ことを特徴とする請求項３に記載のオーダーエントリーシステム。
【請求項５】
注文を入力する複数の電子機器とコントローラとを備えるオーダーエントリーシステムにおける前記コントローラであって、
前記電子機器と通信する通信部と、
バッテリを充電している前記電子機器から前記通信部を介して受信したバッテリの充電状態が新規接続による充電開始の情報の場合、前記充電状態、または前記コントローラが保持する前記電子機器の充電回数、あるいは前記コントローラが保持する前記電子機器の満充電時刻に基づいて、充電している前記電子機器のうち使用に最も適した前記電子機器を判定し、判定した前記電子機器に使用を促す表示をさせる機器状態確認処理部と、
を備えることを特徴とするコントローラ。
【請求項６】
注文を入力する複数の電子機器とコントローラとを備えるオーダーエントリーシステムにおける前記コントローラとしてのコンピュータに、
バッテリを充電している前記電子機器から前記バッテリの充電状態を受信する受信ステップと、
前記受信ステップが前記電子機器から受信したバッテリの充電状態が新規接続による充電開始の情報の場合、前記充電状態、または前記コントローラが保持する前記電子機器の充電回数、あるいは前記コントローラが保持する前記電子機器の満充電時刻に基づいて、充電している前記電子機器のうち使用に最も適した前記電子機器を判定し、判定した前記電子機器に使用を促す表示をさせる機器状態確認処理ステップと、
を実行させるためのプログラム。
【発明の詳細な説明】
【技術分野】
【０００１】
本発明は、オーダーエントリーシステム、コントローラ及びプログラムに関する。
【背景技術】
【０００２】
ファミリーレストランや居酒屋等の飲食店では、来店客からの注文を電子データで管理するオーダーエントリーシステムが利用されている。このようオーダーエントリーシステムのコントローラは、注文を受け付ける携帯端末（ハンディターミナル）から送信される注文データを受信し、プリンタやディスプレイ等の各出力機器に対しデータを送信する。
【０００３】
例えば、従業員は、客から注文を依頼された場合、注文データを携帯端末に入力する。携帯端末は、入力を受け付けた注文データを、無線通信等のデータ転送手段によりコントローラに対して送信する。コントローラは、受信した注文データを元に各プリンタ等にデータを送信して伝票データを出力したり、ディスプレイの画面への表示を実施する。従業員は、これらのデータに従って、注文を受けた料理やドリンクなどを用意して、客へ提供する。
【０００４】
なお、携帯端末は、バッテリの電力を用いて駆動しているため、バッテリの充電容量が減ってくると、客から受けた注文を入力しても無線通信を使用して注文データをコントローラへ送信することができなくなる。そこで、携帯端末が、バッテリの充電容量が減ったことを検出した場合、画面上にワーニングを表示して携帯端末の交換を行わせるように促す技術が知られている（例えば、特許文献１参照）。
【先行技術文献】
【特許文献】
【０００５】
【特許文献１】特開２００２−６２９５５号公報
【発明の概要】
【発明が解決しようとする課題】
【０００６】
しかしながら、携帯端末には、バッテリが固定されており、交換できないものもある。また、バッテリを交換できる機種においても、バッテリを交換する際には携帯端末の電源を一度切る必要があるため、バッテリの交換作業に時間がかかる。よって、バッテリ切れを防ぐために複数の携帯端末を用意し、バッテリの充電容量が無いものは充電し、最初に満充電となった携帯端末、もしくは一番バッテリが充電されている携帯端末を選択して使用するのが望ましい。しかし、充電中の携帯端末が複数ある場合には、各携帯端末の充電状態も様々であり、従業員はどの携帯端末を使用したらよいかがわからない。そのため、特許文献１に記載の技術では、どの携帯端末に交換するのが望ましいか容易に判断できないという問題がある。
【０００７】
そこで、本発明は上述の事情を鑑みてなされたものであり、複数ある充電中の電子機器のうち、どの電子機器が最も使用に適したものであるかを簡単に知ることができるオーダーエントリーシステム、コントローラ及びプログラムを提供することを目的とする。
【課題を解決するための手段】
【０００８】
本発明の幾つかの態様は、注文を入力する複数の電子機器とコントローラとを備えるオーダーエントリーシステムであって、前記電子機器は、表示部と、前記コントローラと通信する通信部と、自装置を駆動するバッテリを充電しているときに、前記通信部を介して、前記バッテリの充電状態を前記コントローラに通知する充電状態通知部と、前記通信部を介して前記コントローラから使用を促す表示を指示する指示情報を受信した場合に、前記表示部に使用を促す表示をする表示制御部と、を備え、前記コントローラは、前記電子機器と通信する通信部と、前記通信部が前記電子機器から受信した充電状態が新規接続による充電開始の情報の場合、前記充電状態、または前記コントローラが保持する前記電子機器の充電回数、あるいは前記コントローラが保持する前記電子機器の満充電時刻に基づいて、充電している前記電子機器のうち使用に最も適した前記電子機器を判定し、判定した前記電子機器に前記通信部から前記指示情報を送信する機器状態確認処理部と、を備えることを特徴とするオーダーエントリーシステムである。
【０００９】
また、本発明の他の態様のオーダーエントリーシステムにおいて、前記機器状態確認処理部は、最も早く充電が完了した前記電子機器を、使用に最も適した前記電子機器と判定することを特徴とする。
【００１０】
また、本発明の他の態様のオーダーエントリーシステムにおいて、前記コントローラの前記機器状態確認処理部は、新たに充電が開始された前記電子機器に設定されている引き継ぎ情報がある場合には、使用に最も適した前記電子機器に前記引き継ぎ情報を送信し、前記電子機器は、前記通信部を介して前記コントローラから前記引き継ぎ情報を受信した場合には、当該引き継ぎ情報を自装置に設定する設定部を備えることを特徴とする。
【００１１】
また、本発明の他の態様のオーダーエントリーシステムにおいて、前記電子機器は、前記引き継ぎ情報を設定するか否かの入力を受け付ける入力部を備え、前記電子機器の前記設定部は、前記入力部が前記引き継ぎ情報を設定する入力を受け付けた場合にのみ、前記引き継ぎ情報を自装置に設定することを特徴とする。
【００１２】
また、本発明の他の態様は、注文を入力する複数の電子機器とコントローラとを備えるオーダーエントリーシステムにおける前記コントローラであって、前記電子機器と通信する通信部と、バッテリを充電している前記電子機器から前記通信部を介して受信したバッテリの充電状態が新規接続による充電開始の情報の場合、前記充電状態、または前記コントローラが保持する前記電子機器の充電回数、あるいは前記コントローラが保持する前記電子機器の満充電時刻に基づいて、充電している前記電子機器のうち使用に最も適した前記電子機器を判定し、判定した前記電子機器に使用を促す表示をさせる機器状態確認処理部と、を備えることを特徴とするコントローラである。
【００１３】
また、本発明の他の態様は、注文を入力する複数の電子機器とコントローラとを備えるオーダーエントリーシステムにおける前記コントローラとしてのコンピュータに、バッテリを充電している前記電子機器から前記バッテリの充電状態を受信する受信ステップと、前記受信ステップが前記電子機器から受信したバッテリの充電状態が新規接続による充電開始の情報の場合、前記充電状態、または前記コントローラが保持する前記電子機器の充電回数、あるいは前記コントローラが保持する前記電子機器の満充電時刻に基づいて、充電している前記電子機器のうち使用に最も適した前記電子機器を判定し、判定した前記電子機器に使用を促す表示をさせる機器状態確認処理ステップと、を実行させるためのプログラムである。
【発明の効果】
【００１４】
本発明によれば、電子機器は、自装置を駆動するバッテリを充電しているときに、バッテリの充電状態をコントローラに通知する充電状態通知部と、コントローラから使用を促す表示を指示する指示情報を受信した場合に、表示部に使用を促す表示をする表示制御部と、を備える。コントローラは、電子機器から受信した充電状態に基づいて、充電している電子機器のうち使用に最も適した電子機器を判定し、判定した電子機器に指示情報を送信する機器状態確認処理部を備える。これにより、従業員は、複数ある充電中の電子機器のうち、どの電子機器が最も使用に適したものであるかを簡単に知ることができる。
【図面の簡単な説明】
【００１５】
【図１】本発明の実施形態におけるオーダーエントリーシステムの全体構成を示す図である。
【図２】本実施形態におけるハンディターミナルの構成を示すブロック図である。
【図３】本実施形態におけるハンディターミナルが表示する表示画面の一例を示す概略図である。
【図４】本実施形態におけるアクセスポイントの構成を示すブロック図である。
【図５】本実施形態におけるコントローラの構成を示すブロック図である。
【図６】本実施形態におけるデータ保存部が記憶する充電情報管理テーブルのデータ構成及びデータ例を示す概略図である。
【図７】本実施形態におけるデータ保存部が記憶する使用者情報管理テーブルのデータ構成及びデータ例を示す概略図である。
【図８】本実施形態におけるデータ保存部が記憶する設定テーブルのデータ構成及びデータ例を示す概略図である。
【図９】本実施形態におけるプリンタの構造を示すブロック図である。
【図１０】本実施形態におけるプリンタが出力する伝票の一例を示すイメージ図である。
【図１１】本実施形態におけるハンディターミナルが充電されている状態を示す概略図である。
【図１２】本実施形態におけるハンディターミナルが表示する表示画面の一例を示す概略図である。
【図１３】本実施形態によるハンディターミナルが実行する通知処理の処理手順を示したフローチャートである。
【図１４】本実施形態によるハンディターミナルが実行する応答コマンド処理の処理手順を示したフローチャートである。
【図１５】本実施形態によるハンディターミナルが実行する非接続時コマンド処理の処理手順を示したフローチャートである。
【図１６】本実施形態によるコントローラが実行する端末管理処理の処理手順を示したフローチャートである。
【図１７】本実施形態によるコントローラが実行する通知処理の処理手順を示したフローチャートである。
【発明を実施するための形態】
【００１６】
以下、本発明の一実施形態について、図面を参照しながら説明する。図１は、本実施形態によるオーダーエントリーシステム１の全体構成を示す図である。オーダーエントリーシステム１は、飲食店の店舗に設置され、客の注文を管理するシステムである。同図に示すように、オーダーエントリーシステム１は、複数のハンディターミナル１０と、アクセスポイント２０と、コントローラ３０と、プリンタ４０とを備えて構成される。なお、同図においては、プリンタ４０を１台のみ示しているが、複数台が備えられていてもよい。また、本図においては、ハンディターミナル１０を３台示しているが、ハンディターミナル１０の数は３台以上であってもよい。
【００１７】
ハンディターミナル１０は、注文を入力する装置であり、店舗における従業員に携帯され、入力される注文に基づく注文データをコントローラ３０に送信する。注文データには、注文されたメニュー（料理）とその数量と注文された日時とが含まれる。ハンディターミナル１０は、電池（バッテリ）で駆動するスマートフォンやタブレット端末等のスマートデバイス（電子機器）である。
【００１８】
アクセスポイント２０は、プリンタ４０及びハンディターミナル１０とコントローラ３０との通信を中継するための中継装置である。アクセスポイント２０は、プリンタ４０及びハンディターミナル１０と無線ＬＡＮ（Ｌｏｃａｌ  Ａｒｅａ  Ｎｅｔｗｏｒｋ）により無線通信し、コントローラ３０と有線ＬＡＮにより有線通信する。
【００１９】
コントローラ３０は、オーダーエントリーシステム１を統括して制御する制御装置である。コントローラ３０は、アクセスポイント２０を介してプリンタ４０及びハンディターミナル１０と通信する。コントローラ３０は、ハンディターミナル１０から客の注文に関する注文データを受信し、受信した注文データを記憶管理する。また、コントローラ３０は、各ハンディターミナル１０から受信した注文データに基づいて伝票をプリンタ４０に出力させる。プリンタ４０は、コントローラ３０からの指示に応じて伝票を印字して出力するプリンタ装置である。
【００２０】
次に、ハンディターミナル１０について説明する。図２は、本実施形態におけるハンディターミナル１０の構成を示すブロック図である。図示するように、ハンディターミナル１０は、ハンディターミナル制御部１１（充電状態通知部、表示制御部、設定部）と、無線部１２（通信部）と、表示部１３と、入力部１４と、コネクタ部１５、バッテリ１６とを備える。
【００２１】
ハンディターミナル制御部１１は、ハンディターミナル１０全体を制御する。また、ハンディターミナル制御部１１は、自装置を駆動するバッテリ１６を充電しているときに、無線部１２を介して、バッテリ１６の充電状態をコントローラ３０に通知する。また、ハンディターミナル制御部１１は、無線部１２を介してコントローラ３０から使用を促す表示を指示する充電情報（指示情報）を受信した場合に、表示部１３に使用を促す表示をする。また、ハンディターミナル制御部１１は、無線部１２を介してコントローラ３０から引き継ぎ情報を受信すると、入力部１４が引き継ぎ情報を設定する入力を受け付けた場合にのみ、受信した引き継ぎ情報を自装置に設定する。引き継ぎ情報は、他のハンディターミナル１０に設定されている設定情報である。
【００２２】
無線部１２は、アクセスポイント２０を介して、コントローラ３０と無線通信する。表示部１３は、液晶ディスプレイ（ＬＣＤ、Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイ等であり、情報を表示する。入力部１４は、ボタンやタッチパネル等であり、入力を受け付ける。コネクタ部１５は、自装置を駆動するバッテリ１６を充電する充電器と接続するためのコネクタである。バッテリ１６は、ハンディターミナル１０の各部に電力を供給する。
【００２３】
次に、ハンディターミナル１０が表示する表示画面について説明する。図３は、本実施形態におけるハンディターミナル１０が表示する表示画面の一例を示す概略図である。本図に示すように、ハンディターミナル制御部１１は、無線通信用のアンテナレベルを示すマークＡＬと、充電状態を示すマークＣＳとを表示部１３に表示する。これにより、従業員は、ハンディターミナル１０が使用可能な状態であるか否かを確認することができる。
【００２４】
従業員は、顧客から注文を受け付ける場合、まず、顧客を特定するためのテーブル番号をハンディターミナル１０に入力する。ハンディターミナル１０は、テーブル番号が入力されると、オーダー入力画面（図３（ａ）参照）を表示部１３に表示する。図示するように、オーダー入力画面には、注文の入力を受け付けるメッセージ「オーダー？」Ｍ１が表示されている。従業員は、オーダー入力画面が表示されると、顧客から受け付けた注文をハンディターミナル１０に入力する。ハンディターミナル１０は、注文の入力を受け付けると、入力を受け付けたメニューとその注文数「ハンバーグ  １」Ｍ２を表示部１３に表示する（図３（ｂ）参照）。
【００２５】
そして、ハンディターミナル１０は、注文の入力が完了すると、注文データをコントローラ３０に送信する。このとき、ハンディターミナル１０は、注文データを無線で送信していることを示すメッセージ「無線転送中」Ｍ３を表示部１３に表示する（図３（ｃ）参照）。ハンディターミナル１０は、通信やその他エラーが発生しなかった場合には、注文データの送信完了後に表示部１３の表示画面を一度暗くして省電力の状態となる。この注文データの送信処理を繰り返していくと、ハンディターミナル１０のバッテリ１６の充電容量が減っていく。ハンディターミナル１０は、バッテリ１６の充電容量が所定値以下になると、充電を促すメッセージ「エラー  バッテリがありません。充電して下さい。」Ｍ４を表示部１３に表示する（図３（ｄ）参照）。
【００２６】
次に、アクセスポイント２０について説明する。図４は、本実施形態におけるアクセスポイント２０の構成を示すブロック図である。図示するように、アクセスポイント２０は、アクセスポイント制御部２１と、通信制御部２２と、入力部２３と、表示部２４とを備える。アクセスポイント制御部２１は、アクセスポイント２０全体を制御する。通信制御部２２は、ハンディターミナル１０やプリンタ４０の無線通信データを有線ＬＡＮに接続されたコントローラ３０に中継する。入力部２３は、ボタン等であり、入力を受け付ける。表示部２４は、ＬＥＤ（Ｌｉｇｈｔ  Ｅｍｉｔｔｉｎｇ  Ｄｉｏｄｅ）や液晶ディスプレイ、有機ＥＬディスプレイ等であり、通信やエラーなどの状態を表示する。
【００２７】
次に、コントローラ３０について説明する。図５は、本実施形態におけるコントローラ３０の構成を示すブロック図である。図示するように、コントローラ３０は、システム制御部３１と、注文データ処理部３２と、伝票データ処理部３３と、機器状態確認処理部３４と、データ保存部３５、通信制御部３６（通信部）と、入力部３７と、表示部３８とを備える。
【００２８】
システム制御部３１は、コントローラ３０全体を制御する。注文データ処理部３２は、通信制御部３６を介して、ハンディターミナル１０から注文データを受信し、受信した注文データをデータ保存部３５に書き込む。
【００２９】
伝票データ処理部３３は、注文データ処理部３２が受信した注文データに基づく伝票をプリンタ４０に出力させる。具体的には、伝票データ処理部３３は、注文データに基づいて調理指示伝票データとゲスト伝票データとを生成する。調理指示伝票データは、調理指示伝票を印字させるための伝票データである。ゲスト伝票データは、ゲスト伝票を印字させるための伝票データである。そして、伝票データ処理部３３は、通信制御部３６を介して、生成した伝票データをプリンタ４０に送信する。
【００３０】
機器状態確認処理部３４は、充電器に接続されている各ハンディターミナル１０の充電状態を管理する。充電状態は、バッテリ１６の充電容量（単位はパーセント）である。例えば、機器状態確認処理部３４は、通信制御部３６が各ハンディターミナル１０から受信した充電状態に基づいて、充電しているハンディターミナル１０のうち使用に最も適したハンディターミナル１０を判定し、判定したハンディターミナル１０に通信制御部３６から充電情報を送信する。このとき、機器状態確認処理部３４は、充電回数、満充電時刻または充電容量に基づいて、使用に最も適したハンディターミナル１０を判定する。例えば、機器状態確認処理部３４は、最も早く充電が完了したハンディターミナル１０であって充電回数の少ないものを、使用に最も適したハンディターミナル１０と判定する。
【００３１】
また、機器状態確認処理部３４は、新たに充電が開始されたハンディターミナル１０に設定されている引き継ぎ情報がある場合には、使用に最も適したハンディターミナル１０に引き継ぎ情報を送信する。
【００３２】
データ保存部３５は、種々のデータを記憶する記憶部である。例えば、データ保存部３５は、注文データ処理部３２が受信した注文データを記憶する。また、データ保存部３５は、各ハンディターミナル１０の充電状態を示す充電情報管理テーブルと、各ハンディターミナル１０の使用者を示す使用者情報管理テーブルと、各従業員の権限を示す設定テーブルとを記憶する。以下、充電情報管理テーブルと使用者情報管理テーブルとを総称してステータス情報とする。また、データ保存部３５は、従業員の権限レベルに応じた引き継ぎ情報を記憶する。
【００３３】
通信制御部３６は、アクセスポイント２０を介して、プリンタ４０またはハンディターミナル１０と通信する。入力部３７は、キーボードやマウス等であり、入力を受け付ける。表示部３８は、液晶ディスプレイや有機ＥＬディスプレイであり、種々の情報を表示する。
【００３４】
次に、データ保存部３５が記憶する情報について説明する。図６は、本実施形態におけるデータ保存部３５が記憶する充電情報管理テーブルのデータ構成及びデータ例を示す概略図である。図示するように、充電情報管理テーブルは、個別端末ＩＤと、登録時刻と、更新時刻と、満充電時刻と、容量と、登録回数と、フラグとの各項目を有する。個別端末ＩＤは、各ハンディターミナル１０を識別する識別情報である。登録時刻は、ハンディターミナル１０の充電が開始された時刻である。更新時刻は、ハンディターミナル１０の充電状態（容量）が更新された時刻である。満充電時刻は、ハンディターミナル１０の充電が完了した（容量が１００％になった）時刻である。容量は、ハンディターミナル１０を駆動するバッテリ１６の充電容量（単位はパーセント）である。登録回数は、ハンディターミナル１０が充電された充電回数である。フラグは、ハンディターミナル１０に表示する情報を示すフラグである。フラグ「０」は何もないことを示し、フラグ「１」は使用を促す表示を指示する充電情報を示し、フラグ「２」は設定する引き継ぎ情報を示す。このフラグは、コントローラ３０が、各ハンディターミナル１０の充電状態に基づいて各ハンディターミナル１０に付与するフラグである。フラグの詳細については後述する。
【００３５】
図示する例では、充電情報管理テーブルの１行目は、個別端末ＩＤが「０１:２３:４５:６７:８９:ＡＢ」であり、登録時刻が「２０１４／０９／２１  ０９：５０：２５」であり、更新時刻が「２０１４／０９／２２  １０：３０：２５」であり、満充電時刻が「２０１４／０９／２１  １２：３２：３３」であり、容量が「１００％」であり、登録回数が「１９５」であり、フラグが「０」である。２行目は、個別端末ＩＤが「０１：２３：４５：６７：８９：ＡＣ」であり、登録時刻が「２０１４／０９／０９  １１：１３：３３」であり、更新時刻が「２０１４／０９／２２  １０：２３：５１」であり、満充電時刻が「２０１４／０９／０９  １６：５９：４５」であり、容量が「１００％」であり、登録回数が「１７８」であり、フラグが「２」である。３行目は、個別端末ＩＤが「０１：２３：４５：６７：８９：ＡＤ」であり、登録時刻が「２０１４／０９／２１  １１：４０：０２」であり、更新時刻が「２０１４／０９／２２  １０：２９：１３」であり、満充電時刻が「−」であり、容量が「７５％」であり、登録回数が「１９０」であり、フラグが「０」である。４行目は、個別端末ＩＤが「０１：２３：４５：６７：８９：ＡＥ」であり、登録時刻が「−」であり、更新時刻が「２０１４／０９／２２  ０７：３３：２１」であり、満充電時刻が「−」であり、容量が「−」であり、登録回数が「１９０」であり、フラグが「０」である。
【００３６】
図７は、本実施形態におけるデータ保存部３５が記憶する使用者情報管理テーブルのデータ構成及びデータ例を示す概略図である。図示するように、使用者情報管理テーブルは、個別端末ＩＤと、ターミナル番号と、従業員番号との各項目を有する。ターミナル番号は、ハンディターミナル１０の番号である。従業員番号は、各従業員を識別する識別情報である。
【００３７】
図示する例では、使用者情報管理テーブルの１行目は、個別端末ＩＤが「０１:２３:４５:６７:８９:ＡＢ」であり、ターミナル番号が「０１」であり、従業員番号が「０１」である。２行目は、個別端末ＩＤが「０１:２３:４５:６７:８９:ＡＣ」であり、ターミナル番号が「０２」であり、従業員番号が「２５」である。３行目は、個別端末ＩＤが「０１:２３:４５:６７:８９:ＡＤ」であり、ターミナル番号が「１０」であり、従業員番号が「４０」である。４行目は、個別端末ＩＤが「０１:２３:４５:６７:８９:ＡＥ」であり、ターミナル番号が「１５」であり、従業員番号が「３３」である。
【００３８】
図８は、本実施形態におけるデータ保存部３５が記憶する設定テーブルのデータ構成及びデータ例を示す概略図である。図示するように、設定テーブルは、従業員番号と、名前と、権限レベルとの各項目を有する。名前は、従業員の名前である。権限レベルは、従業員の持つ権限のレベルである。
【００３９】
図示する例では、設定テーブルの１行目は、従業員番号が「０１」であり、名前が「店長」であり、権限レベルが「１」である。２行目は、従業員番号が「０２」であり、名前が「鈴木  太郎」であり、権限レベルが「２」である。３行目は、従業員番号が「０３」であり、名前が「佐藤  花子」であり、権限レベルが「２」である。４行目は、従業員番号が「２５」であり、名前が「鈴木  花子」であり、権限レベルが「２」である。５行目は、従業員番号が「３０」であり、名前が「加藤  太郎」であり、権限レベルが「２」である。６行目は、従業員番号が「３３」であり、名前が「斉藤  花子」であり、権限レベルが「２」である。７行目は、従業員番号が「４０」であり、名前が「木下  太郎」であり、権限レベルが「２」である。
【００４０】
次に、プリンタ４０について説明する。図９は、本実施形態におけるプリンタ４０の構造を示すブロック図である。図示するように、プリンタ４０は、プリンタ制御部４１と、通信制御部４２と、伝票データ処理部４３と、印字機構制御部４４と、入力部４５と、表示部４６とを備える。プリンタ制御部４１は、プリンタ４０全体を制御する。通信制御部４２は、アクセスポイント２０を介して、コントローラ３０と無線通信する。
【００４１】
伝票データ処理部４３は、通信制御部４２を介して伝票データを受信し、受信した伝票データの伝票を印字機構制御部４４に印字させる。印字機構制御部４４は、印字メカ機構を制御して伝票の印字を行う。印字メカ機構は、用紙に印字を行う印字ヘッド、用紙の紙送りをするローラ、用紙をカットするカッタ可動刃と固定刃とから構成され、用紙への印字と用紙のカットとを行う。
【００４２】
入力部４５は、例えば、ボタン等から構成され、入力を受け付ける。表示部４６は、ＬＥＤや液晶ディスプレイ、有機ＥＬディスプレイ等であり、種々の情報を表示する。
【００４３】
次に、プリンタ４０が出力する伝票について説明する。図１０は、本実施形態におけるプリンタ４０が出力する伝票の一例を示すイメージ図である。図１０（ａ）は調理指示伝票７００を示す。図示するように、調理指示伝票７００には、伝票番号と、伝票番号を示すバーコードと、注文された日時と、テーブル番号と、注文を受け付けた担当と、注文されたメニューの名称と、その数量と、その提供時（記号）とが印字されている。
【００４４】
図１０（ｂ）はゲスト伝票８００を示す。図示するように、ゲスト伝票（お客様控え伝票）８００には、伝票番号と、伝票番号を示すバーコードと、注文された日時と、テーブル番号と、注文を受け付けた担当と、注文されたメニューと、その数量と、その金額と、注文されたメニュー全ての合計金額とが印字されている。
【００４５】
次に、本実施形態によるオーダーエントリーシステムにおける通知方法を説明する。図１１は、本実施形態におけるハンディターミナル１０が充電されている状態を示す概略図である。従業員は、図３（ｄ）に示すように、充電を促すメッセージがハンディターミナル１０に表示されると、ハンディターミナル１０のコネクタ部１５に充電ケーブルＣを接続して、ハンディターミナル１０を充電器（ＡＣ電源）ＡＣに接続する。充電器ＡＣには、複数のハンディターミナル１０が接続可能である。
【００４６】
図１２は、本実施形態におけるハンディターミナル１０が表示する表示画面の一例を示す概略図である。ハンディターミナル１０は、充電器ＡＣに接続されると、自装置の充電状態「充電中  ３０％」Ｍ１１を表示部１３に表示する（図１２（ａ）参照）。また、ハンディターミナル１０は、充電器ＡＣに接続されると、充電開始を通知する登録情報をコントローラ３０に送信する。登録情報には、充電器ＡＣに接続された登録時刻と自装置の個別端末ＩＤと充電状態とが含まれる。コントローラ３０は、ハンディターミナル１０から登録情報を受信すると、受信した登録情報に含まれる登録時刻と充電状態とを個別端末ＩＤに対応付けて充電情報管理テーブルに書き込む。また、コントローラ３０は、充電情報管理テーブルにおいて、当該個別端末ＩＤに対応する登録回数を１加算する。
【００４７】
また、ハンディターミナル１０は、バッテリ１６を充電している（充電器ＡＣに接続されている）間、所定時間毎に自装置の充電状態をコントローラ３０に送信する。コントローラ３０は、ハンディターミナル１０から充電状態を受信すると、受信した充電状態を充電情報管理テーブルに書き込む。そして、ハンディターミナル１０は、充電が完了すると、充電が完了したことを示すメッセージ「充電：１００％  準備完了」Ｍ１２を表示部１３に表示する（図１２（ｂ）参照）。
【００４８】
また、コントローラ３０は、ハンディターミナル１０が新たに充電器ＡＣに接続されると、充電情報管理テーブルを参照して、使用に最も適したハンディターミナル１０に使用を促すメッセージを表示させる。コントローラ３０は、充電情報管理テーブルの容量と、満充電時刻と、登録回数とに基づいて、使用に最も適したハンディターミナル１０を判定する。例えば、コントローラ３０は、既に充電が完了しているハンディターミナル１０のうち、最も早く充電が完了したハンディターミナル１０であって、充電回数が少ないものを、使用に最も適したハンディターミナル１０と判定する。なお、コントローラ３０は、充電が完了しているハンディターミナル１０がない場合には、充電容量の最も大きいハンディターミナル１０を使用に最も適したハンディターミナル１０と判定する。具体的には、コントローラ３０は、容量が「１００％」であって、満充電時刻が最も早いハンディターミナル１０のうち登録回数が少ないものに、使用を促すメッセージの表示を指示する充電情報を送信する。ハンディターミナル１０は、充電情報を受信すると、充電情報画面を表示部１３に表示する（図１２（ｃ）参照）とともに、ブザー鳴動する。充電情報画面には、使用を促すメッセージ「充電：１００％  充電完了」Ｍ１３が表示されている。これにより、従業員は、どのハンディターミナル１０が使用に適しているかを知ることができる。
【００４９】
なお、ハンディターミナル１０を交換する際に、機器の設定内容を移行したい場合がある。従来技術では、手動で再設定しなければならず、ハンディターミナル１０を交換して即時使用したい場合に、時間のロスが発生してしまうという問題がある。そのため、本実施形態によるコントローラ３０は、充電器ＡＣに新たに接続されたハンディターミナル１０に引き継ぎ情報が設定されている場合には、使用に最も適したハンディターミナル１０に引き継ぎ情報を送信する。具体的には、コントローラ３０は、充電情報管理テーブルのフラグが「２」であるハンディターミナル１０に引き継ぎ情報を付加情報とともに送信する。付加情報には、引き継ぎ情報に関するデータ（名前）が含まれる。図示する例では、コントローラ３０は、新たに充電が開始されたハンディターミナル１０の使用者の名前「店長」を引き継ぎ情報の付加情報としてハンディターミナル１０に送信する。ハンディターミナル１０は、引き継ぎ情報を受信すると、引き継ぎ情報確認画面を表示部１３に表示する（図１２（ｄ）参照）。引き継ぎ情報確認画面には、引き継ぎ情報を設定するか否かを問うメッセージ「情報をコピー？」Ｍ１４と、ターミナル番号「ターミナルＩＤ：０１」Ｍ１５と、引き継ぎ情報の付加情報「名前：店長」Ｍ１６と、ＯＫボタンＢ１と、キャンセルボタンＢ２とが表示されている。
【００５０】
ハンディターミナル１０は、ＯＫボタンＢ１を押下する入力を受け付けると、受信した引き継ぎ情報を自装置に設定する。一方、ハンディターミナル１０は、キャンセルボタンＢ２を押下する入力を受け付けると、引き継ぎ情報を設定することなく、注文を受け付けるためのオーダー入力画面を表示する。このように、ハンディターミナル１０は、交換するハンディターミナル１０に引き継ぎ情報を自動的に再設定するため、従業員が手動で再設定する手間を軽減して時間を短縮するとともに、設定ミスを低減させることができる。
【００５１】
図１３は、本実施形態によるハンディターミナル１０が実行する通知処理の処理手順を示したフローチャートである。本図に示す処理は、ハンディターミナル１０が充電器ＡＣに接続されたときに実行される。
【００５２】
（ステップＳ１０１）ハンディターミナル制御部１１は、コネクタ部１５が充電器ＡＣに接続したことを検出する。その後、ステップＳ１０２の処理に進む。
（ステップＳ１０２）ハンディターミナル制御部１１は、無線部１２を介して、登録情報をコントローラ３０に送信して充電器ＡＣに接続されたことを通知する。その後、ステップＳ１０３の処理に進む。
【００５３】
（ステップＳ１０３）ハンディターミナル制御部１１は、無線部１２を介して、充電器ＡＣと接続していることを示す接続情報及び充電状態をコントローラ３０に送信して通知する。その後、ステップＳ１０４の処理に進む。
（ステップＳ１０４）ハンディターミナル制御部１１は、コネクタ部１５が充電器ＡＣに接続しているか否かを判定する。充電器ＡＣに接続しているとハンディターミナル制御部１１が判定した場合にはステップＳ１０５の処理に進む。また、充電器ＡＣに接続していないとハンディターミナル制御部１１が判定した場合にはステップＳ１１０の処理に進む。
【００５４】
（ステップＳ１０５）ハンディターミナル制御部１１は、コントローラ３０からの応答を所定時間待つ。その後、ステップＳ１０６の処理に進む。
（ステップＳ１０６）ハンディターミナル制御部１１は、ステップＳ１０５における所定時間内にコントローラ３０から応答があったか否かを判定する。コントローラ３０から応答があったとハンディターミナル制御部１１が判定した場合にはステップＳ１０７の処理に進む。また、コントローラ３０から応答がなかったとハンディターミナル制御部１１が判定した場合にはステップＳ１０３の処理に戻る。
【００５５】
（ステップＳ１０７）ハンディターミナル制御部１１は、応答コマンド処理を実行する。応答コマンド処理の詳細については後述する。その後、ステップＳ１０８の処理に進む。
【００５６】
（ステップＳ１０８）ハンディターミナル制御部１１は、ステップＳ１０７の処理から所定の規定時間（数秒）が経過した、または、外部イベントが発生したか否かを判定する。ここで規定時間待機するのは、ステップＳ１０８〜Ｓ１０９のループがビジーループになることを防ぐためである。また、外部イベントは、入力部１４における入力の受け付け（タッチパネルのタッチ）等である。規定時間が経過したまたは外部イベントが発生したとハンディターミナル制御部１１が判定した場合にはステップＳ１０３の処理に戻る。また、規定時間が経過しておらずかつ外部イベントが発生していないとハンディターミナル制御部１１が判定した場合にはステップＳ１０９の処理に進む。
【００５７】
（ステップＳ１０９）ハンディターミナル制御部１１は、コネクタ部１５が充電器ＡＣに接続しているか否かを判定する。充電器ＡＣに接続しているとハンディターミナル制御部１１が判定した場合にはステップＳ１０８の処理に戻る。また、充電器ＡＣに接続していないとハンディターミナル制御部１１が判定した場合にはステップＳ１１０の処理に進む。
【００５８】
（ステップＳ１１０）ハンディターミナル制御部１１は、無線部１２を介して、充電器ＡＣと非接続になったことを示す非接続情報及び充電状態をコントローラ３０に送信して通知する。その後、ステップＳ１１１の処理に進む。
（ステップＳ１１１）ハンディターミナル制御部１１は、非接続時コマンド処理を実行する。非接続時コマンド処理の詳細については後述する。その後、処理を終了する。
【００５９】
図１４は、本実施形態によるハンディターミナル１０が実行する応答コマンド処理の処理手順を示したフローチャートである。本図に示す処理は、上述したステップＳ１０７の処理に対応する。
【００６０】
（ステップＳ１０７１）ハンディターミナル制御部１１は、コントローラ３０から受信した応答に含まれる要求を解析する。その後、ステップＳ１０７２の処理に進む。
（ステップＳ１０７２）ハンディターミナル制御部１１は、解析した要求が、引き継ぎ情報であるか、充電情報であるか、それ以外であるかを判定する。引き継ぎ情報であるとハンディターミナル制御部１１が判定した場合には、ステップＳ１０７３の処理に進む。また、充電情報であるとハンディターミナル制御部１１が判定した場合には、ステップＳ１０７４の処理に進む。また、引き継ぎ情報でも充電情報でもないとハンディターミナル制御部１１が判定した場合には処理を終了する。
【００６１】
（ステップＳ１０７３）ハンディターミナル制御部１１は、引き継ぎ情報確認画面（図１２（ｄ）参照）を表示部１３に表示する。その後、処理を終了する。
（ステップＳ１０７４）ハンディターミナル制御部１１は、充電情報画面（図１２（ｃ）参照）を表示部１３に表示する。その後、処理を終了する。
【００６２】
図１５は、本実施形態によるハンディターミナル１０が実行する非接続時コマンド処理の処理手順を示したフローチャートである。本図に示す処理は、上述したステップＳ１１１の処理に対応する。
【００６３】
（ステップＳ１１１１）ハンディターミナル制御部１１は、引き継ぎ情報確認画面を表示部１３に表示しているか否かを判定する。表示しているとハンディターミナル制御部１１が判定した場合にはステップＳ１１１２の処理に進む。表示していないとハンディターミナル制御部１１が判定した場合にはステップＳ１１１４の処理に進む。
【００６４】
（ステップＳ１１１２）ハンディターミナル制御部１１は、引き継ぎ情報を設定するか否かの選択入力を受け付ける。選択入力を受け付けると、ステップＳ１１１３の処理に進む。
（ステップＳ１１１３）ハンディターミナル制御部１１は、受け付けた選択入力に基づいて、情報をコピーするか否かを判定する。具体的には、ハンディターミナル制御部１１は、引き継ぎ情報確認画面において、ＯＫボタンＢ１が押下された場合に情報をコピーすると判定し、キャンセルボタンＢ２が押下された場合に情報をコピーしないと判定する。情報をコピーするとハンディターミナル制御部１１が判定した場合には、ハンディターミナル制御部１１は、引き継ぎ情報を自装置に設定して、ステップＳ１１１６の処理に進む。また、情報をコピーしないとハンディターミナル制御部１１が判定した場合にはステップＳ１１１５の処理に進む。
【００６５】
（ステップＳ１１１４）ハンディターミナル制御部１１は、自装置に設定すべき情報が設定されているか否かを判定する。情報が設定されているとハンディターミナル制御部１１が判定した場合にはステップＳ１１１６の処理に進む。また、情報が設定されていないとハンディターミナル制御部１１が判定した場合にはステップＳ１１１５の処理に進む。
【００６６】
（ステップＳ１１１５）ハンディターミナル制御部１１は、入力部１４において情報の設定入力を受け付ける。そして、ハンディターミナル制御部１１は、入力された情報を自装置に設定する。その後、ステップＳ１１１６の処理に進む。
（ステップＳ１１１６）ハンディターミナル制御部１１は、オーダー入力画面を表示部１３に表示する。その後、処理を終了する。
【００６７】
図１６は、本実施形態によるコントローラ３０が実行する端末管理処理の処理手順を示したフローチャートである。
（ステップＳ２０１）機器状態確認処理部３４は、通信制御部３６を介して、ハンディターミナル１０から通知情報を受信したか否かを判定する。通知情報は、ハンディターミナル１０から通知される情報であり、例えば、登録情報、接続情報、非接続情報、又は充電状態等である。通知情報を受信したと機器状態確認処理部３４が判定した場合にはステップＳ２０２の処理に進む。また、通知情報を受信していないと機器状態確認処理部３４が判定した場合にはステップＳ２０１の処理を再度実行する。
【００６８】
（ステップＳ２０２）機器状態確認処理部３４は、受信した通知情報の妥当性を確認する。具体的には、機器状態確認処理部３４は、受信した通知情報が予め定められたデータフォーマット等に合致しているか等を確認して、通知情報として正しい情報であるか否かを判定する。また、機器状態確認処理部３４は、受信した通知情報の種別（例えば、登録情報、接続情報、非接続情報、又は充電状態等）を判定する。その後、ステップＳ２０３の処理に進む。
（ステップＳ２０３）機器状態確認処理部３４は、ステップＳ２０２において確認した情報を充電情報管理テーブル又は使用者情報管理テーブルに書き込んで登録し、充電情報管理テーブル又は使用者情報管理テーブルを更新する。その後、ステップＳ２０４の処理に進む。
【００６９】
（ステップＳ２０４）機器状態確認処理部３４は、受信した通知情報の送信元のハンディターミナル１０が、充電器ＡＣに接続され充電中であるか、充電器ＡＣから取り外され非接続であるか、充電器ＡＣに新規に接続され充電を開始したかを判定する。具体的には、機器状態確認処理部３４は、受信した通知情報に接続情報が含まれている場合には充電中であると判定し、通知情報に非接続情報が含まれている場合には取り外しであると判定し、通知情報に登録情報が含まれている場合には新規接続し充電開始であると判定する。充電中または取り外しであると機器状態確認処理部３４が判定した場合にはステップＳ２０５の処理に進む。また、新規接続し充電開始であると機器状態確認処理部３４が判定した場合にはステップＳ２０６の処理に進む。また、それ以外であると機器状態確認処理部３４が判定した場合には処理を終了する。
【００７０】
（ステップＳ２０５）機器状態確認処理部３４は、通知処理を実行する。通知処理の詳細については後述する。その後、処理を終了する。
【００７１】
（ステップＳ２０６）機器状態確認処理部３４は、充電情報管理テーブルを参照して、最良な充電状態の（使用に最も適した）ハンディターミナル１０を検出する。その後、ステップＳ２０７の処理に進む。
（ステップＳ２０７）機器状態確認処理部３４は、受信した通知情報の送信元のハンディターミナル１０に引き継ぎ情報があるか否かを判定する。引き継ぎ情報があると機器状態確認処理部３４が判定した場合にはステップＳ２０９の処理に進む。また、引き継ぎ情報がないと機器状態確認処理部３４が判定した場合にはステップＳ２０８の処理に進む。なお、初期化したハンディターミナル１０や購入したばかりのハンディターミナル１０等が、引き継ぎ情報のないハンディターミナル１０に該当する。
【００７２】
（ステップＳ２０８）機器状態確認処理部３４は、充電情報管理テーブルにおいて、充電情報フラグ「１」を最良な充電状態のハンディターミナル１０に設定する。その後、処理を終了する。
（ステップＳ２０９）機器状態確認処理部３４は、充電情報管理テーブルにおいて、引き継ぎ情報フラグ「２」を最良な充電状態のハンディターミナル１０に設定する。その後、処理を終了する。
【００７３】
図１７は、本実施形態によるコントローラ３０が実行する通知処理の処理手順を示したフローチャートである。本図に示す処理は、上述したステップＳ２０５の処理に対応する。
【００７４】
（ステップＳ２０５１）機器状態確認処理部３４は、充電情報管理テーブルにおいて、受信した通知情報の送信元のハンディターミナル１０に対応するフラグが、充電情報フラグ「１」であるか、引き継ぎ情報フラグ「２」であるか、フラグなし「０」であるかを判定する。充電情報フラグ「１」であると機器状態確認処理部３４が判定した場合には、ステップＳ２０５２の処理に進む。引き継ぎ情報フラグ「２」であると機器状態確認処理部３４が判定した場合には、ステップＳ２０５３の処理に進む。また、フラグなし「０」であると機器状態確認処理部３４が判定した場合には、処理を終了する。
【００７５】
（ステップＳ２０５２）機器状態確認処理部３４は、充電情報をハンディターミナル１０に送信する。その後、処理を終了する。
【００７６】
（ステップＳ２０５３）機器状態確認処理部３４は、充電情報管理テーブルと、使用者情報管理テーブルと、設定テーブルとを参照して、引き継ぎ情報取得する。その後、ステップＳ２０５４の処理に進む。
（ステップＳ２０５４）機器状態確認処理部３４は、取得した引き継ぎ情報をハンディターミナル１０に送信する。その後、処理を終了する。
【００７７】
上述したとおり、本実施形態では、ハンディターミナル１０は、充電器ＡＣに接続している間、バッテリ１６の充電状態をコントローラ３０に送信する。コントローラ３０は、各ハンディターミナル１０から受信した充電状態に基づいて、充電しているハンディターミナル１０のうち使用に最も適したハンディターミナル１０を判定する。そして、コントローラ３０は、新たにハンディターミナル１０が充電器ＡＣに接続されると、使用に最も適したハンディターミナル１０に、使用を促す充電情報画面を表示させる。これにより、従業員は一番充電状態のよい使用に適したハンディターミナル１０を簡単に選択して交換することができる。このため、長い時間ハンディターミナル１０を交換する必要がなくなり、より効率的に作業を行うことができる。また、均等にハンディターミナル１０のバッテリ１６を使用することが可能となり、あるハンディターミナル１０だけが劣化するようなことを低減できる。
【００７８】
また、コントローラ３０は、充電器ＡＣに新たに接続されたハンディターミナル１０に設定されている引き継ぎ情報がある場合には、引き継ぎ情報を使用に最も適したハンディターミナル１０に送信して引き継ぎ情報確認画面を表示させる。ハンディターミナル１０は、引き継ぎ情報確認画面において、ＯＫボタンＢ１が押下された場合に、引き継ぎ情報を自装置に設定する。これにより、従業員が手動で再度ハンディターミナル１０を設定する手間及び時間を低減して、設定ミスを防ぐことができる。
【００７９】
なお、上述した実施形態におけるハンディターミナル１０またはコントローラ３０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００８０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８１】
以上、本発明の実施形態について説明したが、本発明は、上記実施形態に限定されるものではなく、本発明の趣旨を逸脱しない範囲において種々の変更を加えることが可能である。
【００８２】
例えば、上述した実施形態では、設定されている引き継ぎ情報を、従業員の権限レベルに応じて設定されている情報としたが、引き継ぎ情報はこれに限られず、ハンディターミナル１０に設定されている情報やハンディターミナル１０に記憶されている情報であればいずれの情報であってもよい。例えば、ハンディターミナル１０に設定されている設定情報に加えて、ハンディターミナル１０に一時記憶されている注文データを引き継ぎ情報としてもよい。
【００８３】
また、上述した実施形態では、使用に最も適した１台のハンディターミナル１０のみが充電情報画面を表示して使用を促しているが、これに限らず、充電の完了したハンディターミナル１０全てに使用を促す報知（充電情報画面表示またはブザー鳴動）をさせてもよい。
【符号の説明】
【００８４】
１・・・オーダーエントリーシステム、１０・・・ハンディターミナル、１１・・・ハンディターミナル制御部、１２・・・無線部、１３・・・表示部、１４・・・入力部、１５・・・コネクタ部、１６・・・バッテリ、２０・・・アクセスポイント、２１・・・アクセスポイント制御部、２２・・・通信制御部、２３・・・入力部、２４・・・表示部、３０・・・コントローラ、３１・・・システム制御部、３２・・・注文データ処理部、３３・・・伝票データ処理部、３４・・・機器状態確認処理部、３５・・・データ保存部、３６・・・通信制御部、３７・・・入力部、３８・・・表示部、４０・・・プリンタ、４１・・・プリンタ制御部、４２・・通信制御部、４３・・・伝票データ処理部、４４・・印字機構制御部、４５・・・入力部、４６・・・表示部
【図１】
0006439928.tif 000002
【図２】
0006439928.tif 000003
【図３】
0006439928.tif 000004
【図４】
0006439928.tif 000005
【図５】
0006439928.tif 000006
【図６】
0006439928.tif 000007
【図７】
0006439928.tif 000008
【図８】
0006439928.tif 000009
【図９】
0006439928.tif 000010
【図１０】
0006439928.tif 000011
【図１１】
0006439928.tif 000012
【図１２】
0006439928.tif 000013
【図１３】
0006439928.tif 000014
【図１４】
0006439928.tif 000015
【図１５】
0006439928.tif 000016
【図１６】
0006439928.tif 000017
【図１７】
0006439928.tif 000018